(57)【特許請求の範囲】
【請求項１】
対向する２辺にそれぞれ第１の給電用端子又は第２の給電用端子を有する面状発光型モジュールと、
前記面状発光型モジュールを収容する収容空間を形成するとともに第１の外郭部と第２の外郭部とに分割される外郭部と、を有する面状発光型照明器具であって、
前記第１の外郭部及び前記第２の外郭部は、組み合わせた状態で前記収容空間に臨む面のうち対向する部位に、
前記第１の外郭部にあっては前記第１の給電用端子と接続する第１のコネクタを有し、かつ、前記第２の外郭部にあっては前記第２の給電用端子と接続する第２のコネクタをそれぞれ有しており、
前記第１のコネクタ及び前記第２のコネクタはリード線によって、いずれかの前記外郭部に設けられた回路部と接続されており、
１つ又は複数の前記面状発光型モジュールが前記第１の外郭部に収容され、
前記面状発光型モジュールの前記第１の外郭部への挿抜時には前記第１の外郭部にガイドされ、前記第１のコネクタと前記第１の給電用端子とが対向する方向にのみ挿抜可能であり、前記第１の給電用端子と前記第１のコネクタとの嵌合強度は、前記第２の給電用端子と前記第２のコネクタとの嵌合強度よりも大きいことを特徴とする面状発光型照明器具。
【請求項２】
前記第２の外郭部は、非発光面であることを特徴とする請求項１記載の面状発光型照明器具。
【請求項３】
前記第１のコネクタの接触片と前記第２の給電用端子の接触片とが同一部材であり、前記第２のコネクタの接触片と前記第１の給電用端子の接触片とが同一部材であり、嵌合のための開口がある面から接触片までの距離である沈み深さが、第１のコネクタにおける沈み深さが第２の給電用端子における沈み深さよりも小さいか、あるいは第１の給電用端子における沈み深さが、第２のコネクタにおける沈み深さよりも小さいかのうち少なくとも１つを満たすことを特徴とする請求項1または２記載の面状発光型照明器具。
【発明の詳細な説明】
【技術分野】
【０００１】
本発明は、有機ＥＬ（エレクトロルミネッセンス）素子を用いてＥＬパネル構造体を形
成した照明器具に関するものである。
【背景技術】
【０００２】
従来より、照明器具として、光源に面状ＥＬ素子を用いたＥＬパネル構造体が知られ
ている（例えば特許文献１参照）。
図１２に示すように、この特許文献１に記載の面状発光型照明器具１００は、面状発光体１０１の前面両端部それぞれに外部電極１０２を設置し、この面状発光体１０１の外部電極１０２の設置されている端部及び側部を取り囲むように給電部材１０３ａ、１０３ｂを嵌め込んで構成されている。
給電部材１０３ａ、１０３ｂはコの字断面形状をしており、外部電極１０２が設置されている端縁部と側面部を取り囲むように面状発光体１０１の側部に嵌め込むことで外部電極１０２に面接触し、外部電極１０２の剥がれを防止しつつ、確実に電気的接続ができるようにしている。
【特許文献１】特開２００７−２７３１３６号公報（図１、段落００１１）
【発明の開示】
【発明が解決しようとする課題】
【０００３】
ところで、前述した特許文献１に記載されているような面状発光型照明器具１００においては、面状発光体１０１の前面両端部に設けられている外部電極１０２に対して、コの字断面形状の給電部材１０３を両側から嵌め込む構造となっているが、図１３に示す面状発光型照明器具１１０のように、面状発光体１１１を透明な面を有するケース１１２内に収納して使用する場合がある。このような場合には、面状発光体１１１をケース１１２内にスライドさせることにより、ケース１１２に設けられている給電用端子１１３ａ、１１３ｂと、面状発光体１１１に設けられている接続端子１１４ａ、１１４ｂとを接続する。
しかしながら、面状発光体１１１をケース１１２から引き抜く際に、端子に損傷を与えるおそれがあるという問題があった。
【０００４】
本発明は、従来の問題を解決するためになされたもので、端子に損傷を与えることなく面状発光体を取り外すことができる面状発光型照明器具を提供することを
目的とする。
【課題を解決するための手段】
【０００５】
本発明の面状発光型照明器具は、対向する２辺にそれぞれ第１の給電用端子又は第２の給電用端子を有する面状発光型モジュールと、前記面状発光型モジュールを収容する収容空間を形成するとともに第１の外郭部と第２の外郭部とに分割される外郭部と、を有する面状発光型照明器具であって、前記第１の外郭部及び前記第２の外郭部は、組み合わせた状態で前記収容空間に臨む面のうち対向する部位に、前記第１の外郭部にあっては前記第１の給電用端子と接続する第１のコネクタを有し、かつ、前記第２の外郭部にあっては前記第２の給電用端子と接続する第２のコネクタをそれぞれ有しており、前記第１のコネクタ及び前記第２のコネクタはリード線によって、いずれかの前記外郭部に設けられた回路部と接続されており、１つ又は複数の前記面状発光型モジュールが前記第１の外郭部に収容され、前記面状発光型モジュールの前記第１の外郭部への挿抜時には前記第１の外郭部にガイドされ、前記第１のコネクタと前記第１の給電用端子とが対向する方向にのみ挿抜可能であり、前記第１の給電用端子と前記第１のコネクタとの嵌合強度は、前記第２の給電用端子と前記第２のコネクタとの嵌合強度よりも大きい構成を有している。
【０００６】
この構成により、面状発光型モジュールを第１の外郭部に対して挿脱することにより、面状発光型モジュールの第１の給電用端子と第１外郭部の第１のコネクタとが着脱され、第２の外郭部を第１の外郭部に着脱ことにより、面状発光型モジュールの第２の給電用端子と第２の外郭部の第２コネクタとが着脱される。このとき、第１の給電用端子と第１のコネクタとの嵌合強度が、第２の給電用端子と第２のコネクタとの嵌合強度よりも大きいので、第２の外郭部を取り外す際に、まず第２の給電用端子が第２のコネクタから離脱し、第１の給電用端子は第１のコネクタに接続した状態となる。このため、第１のコネクタと回路部とを接続しているリード線を破損するのを防止することができる。また、第２の外郭部の着脱により、第２の給電用端子と第２コネクタとの着脱も行われるため、工程を減らして作業性が向上する。
【０００７】
また、本発明の面状発光型照明器具は、前記第２の外郭部は、非発光面である構成を有している。
【０００８】
この構成により、第１の外郭部と第２の外郭部とに分割する際に、第２の外郭部が発光面でないので、発光面を分割することがなく、配光特性に影響を及ぼさない。
【０００９】
さらに、本発明の面状発光型照明器具は、前記第１のコネクタの接触片と前記第２の給電用端子の接触片とが同一部材であり、前記第２のコネクタの接触片と前記第１の給電用端子の接触片とが同一部材であり、嵌合のための開口がある面から接触片までの距離である沈み深さが、第１のコネクタにおける沈み深さが第２の給電用端子における沈み深さよりも小さいか、あるいは第１の給電用端子における沈み深さが、第２のコネクタにおける沈み深さよりも小さいかのうち少なくとも１つを満たす構成を有している。
【００１０】
この構成により、端子を共有することにより、部品の種類を減少させてコストダウンを図ることができるとともに、容易かつ確実に第１の給電用端子と第１のコネクタとの嵌合強度を、第２の給電用端子と第２のコネクタとの嵌合強度よりも大きい構成とすることができる。
【発明の効果】
【００１１】
本発明は、面状発光型モジュールを第１の外郭部に対して挿脱することにより、面状発光型モジュールの第１の給電用端子と第１外郭部の第１のコネクタとが着脱され、第２の外郭部を第１の外郭部に着脱ことにより、面状発光型モジュールの第２の給電用端子と第２の外郭部の第２コネクタとが着脱される。このとき、第１の給電用端子と第１のコネクタとの嵌合強度が、第２の給電用端子と第２のコネクタとの嵌合強度よりも大きいので、第２の外郭部を取り外す際に、まず第２の給電用端子が第２のコネクタから離脱し、第１の給電用端子は第１のコネクタに接続した状態となる。このため、第１のコネクタと回路部とを接続しているリード線を破損するのを防止することができる。また、第２の外郭部の着脱により、第２の給電用端子と第２コネクタとの着脱も行われるため、工程を減らして作業性が向上するという効果を有する面状発光型照明器具を提供することができるものである。
【発明を実施するための最良の形態】
【００１２】
以下、本発明の第１実施形態にかかる照明器具について、図面を用いて説明する。
図１は本発明の第１の実施の形態にかかる照明器具の分解斜視図、図２は照明器具の断面図、図３（Ａ）は面状発光部を上方から見た斜視図、図３（Ｂ）は図３（Ａ）中Ｂ方向から見た位置決め突部の斜視図、図４（Ａ）は平面発光パネルの挿入方向前部を示す斜視図、図４（Ｂ）は図４（Ａ）中Ｂ−Ｂ位置の断面図、図５は挿入方向前部の枠体の内側および接触片を示す分解斜視図、図６は挿入方向前部の枠体の内側を示す斜視図、図７（Ａ）は第２のコネクタの斜視図、図７（Ｂ）は図７（Ａ）中Ｂ−Ｂ位置の断面図、図８は第２のコネクタの内側および接触片を示す分解斜視図、図９は第２のコネクタの内側を示す斜視図、図１０（Ａ）〜（Ｅ）は面状発光型照明器具の分解手順を示す工程図である。
【００１３】
図１および図２に示すように、本発明の第１実施形態にかかる照明器具１０は、有機ＥＬ発光素子を有する面状発光型モジュールである面状発光部２０と、この面状発光部２０を収容する収容空間１１ａを有する外郭部としての器具本体１１を有している。器具本体１１は第１の外郭部と第２の外郭部とを有しており、第１の外郭部として面状発光部２０の発光面２０ａに対して対面するとともに発光面２０ａからの光を透光可能な透光板３０を有するとともに、第２の外郭部として面状発光部２０の背面２０ｂに対して対面するとともに面状発光部２０を点灯させるための点灯回路４２を支持する非発光面である支持板４０とを有している。従って、支持板４０に点灯回路４２等を設けても配光特性に影響を及ぼさない。
【００１４】
図１および図２に示すように、第１の外郭部である透光板３０及び第２の外郭部である支持板４０は、組み合わせて外郭部である器具本体１１を構成し、器具本体１１内部の収容空間１１ａを形成する。
【００１５】
図２および図３に示すように、面状発光部２０は、例えば矩形薄板状の平面発光パネル２６と、この平面発光パネル２６の外周縁に沿った矩形状の枠体２７を有しており、平面発光パネル２６を枠体２７の上面に接着して取付けている。面状発光部２０の対向する２辺のうちの一辺である枠体２７の挿入方向前部２７ａには、一対の位置決め用の貫通穴２８ａが設けられており、この貫通穴２８ａの内部に雄端子である第１の給電用端子２１（図４参照）が設けられていて平面発光パネル２６の電極（図示省略）と例えばリード線（図示省略）により接続されている。
【００１６】
また、図３に示すように、面状発光部２０の対向する２辺のうちの他の一辺である枠体２７の挿入方向後部２７ｂには、一対の筒状の位置決め突部２８ｂが設けられており、この位置決め突部２８ｂの内部には、雌端子である第２の給電用端子２４（図３（Ｂ）参照）が設けられている。第２の給電用端子２４は、平面発光パネル２６の電極（図示省略）と例えばリード線（図示省略）により接続されている。
なお、枠体２７の側面２５には、挿入時に面状発光部２０をガイドするガイド部２５ａが設けられている。
【００１７】
透光板３０の厚み方向（図１中上下方向）に沿うとともに収容空間１１ａに臨む面、すなわち面状発光部２０の挿入方向前部２７ａと対面する部位には、第１壁部３１を有している。この第１壁部３１には、面状発光部２０の第１の給電用端子２１と接続する第１のコネクタ３２が設けられており、リード線４１によって、支持板４０に設けられた回路部である点灯回路４２と接続されている。
【００１８】
第１のコネクタ３２の平面発光パネル２６と対向する面には、位置決め用の貫通穴２８ａに挿嵌されて位置決めする位置決め突部３２ａが取付けられており、この位置決め突部３２ａの内部に接触片（図示省略）が設けられている。位置決め突部３２ａと貫通穴２８ａとの作用により、第１のコネクタ３２と第１の給電用端子４１とは、対向する方向にのみ挿抜可能となっている。
【００１９】
従って、第１のコネクタ３２は、面状発光部２０の枠体２７に設けられている位置決め貫通穴２８ａを介して第１の給電用端子２１と接続されることになる。また、透光板３０の左右両端には側壁３３，３３が下方へ設けられており、側壁３３の内面には面状発光部２０を挿入する際に、枠体２７の側面に設けられているガイド部２５ａをガイドするガイド部（図示省略）が設けられている。これにより、面状部材２０を透光板３０に取付ける際に、スライド可能かつ脱落を防止している。
【００２０】
一方、図１および図２に示すように、支持板４０の内面４０ａには、透光板３０の第１のコネクタ３２に接続線４１を介して接続された点灯回路４２が取付けられている。また、支持板４０の厚み方向（図１中上下方向）に沿うとともに収容空間１１ａに臨む面、すなわち面状発光部２０の挿入方向後部２７ｂと対面する部位には、第２壁部４３を有している。この第２壁部４３には、面状発光部２０の第２の給電用端子２４と接続する第２のコネクタ４５が設けられており、リード線４４によって点灯回路４２と接続されている。第２のコネクタ４５の平面発光パネル２６と対向する面には、位置決め突部２８ｂが挿嵌されて位置決めする位置決め凹部４５ａが設けられており、この位置決め凹部４５ａの内部に接触片４６（図７（Ｂ）参照）が設けられている。
【００２１】
従って、第２のコネクタ４５は、面状発光部２０の枠体２７に設けられている位置決め突部２８ｂの内部空間を介して第２の給電用端子２４と接続されることになる。なお、点灯回路４２と第２のコネクタ４５を接続する接続線４４には、途中スイッチ４８（図７参照）が設けられており、オン・オフが可能となっている。
【００２２】
図４に示すように、平面発光パネル２６の枠体２７の挿入方向前端面２７ａには位置決め用の貫通穴２８ａが設けられており、この位置決め用の貫通穴２８ａには雄端子である第１の給電用端子２１の接触片２２が取付けられている。図５に示すように、接触片２２は全体Ｕ字状をしており、長辺２２ａ、底辺２２ｂ、短辺２２ｃを有している。
【００２３】
枠体２７の挿入方向前部２７ａの内面２７ｃにおける接触片２２の取付部２３には、接触片２２の長辺２２ａの先端部を貫通穴２８ａの内部に露出させるための貫通部２３ａと、この貫通部２３ａに連続して接触片２２の底辺２２ｂを嵌合させる嵌合凹部２３ｂと、長辺２２ａと短辺２２ｃとの協働により取付部２３を挟んで第１の接触片２２を取付けるための開口部２３ｃが設けられている。
【００２４】
従って、図６に示すように、第１の給電端子２１の接触片２２は、長辺２２ａの先端部を貫通穴２８ａの内部に露出させた状態で取付部２３に保持されることになる。このとき、接触片２２の底辺２２ｂは嵌合凹部２３ｂに嵌合するため、嵌合凹部２３ｂの深さだけ長辺２２ａの先端が多く露出することになる。換言すれば、第１の給電端子２１における嵌合のための開口がある面から接触片２２までの距離である沈み深さＬ１（図４（Ｂ）参照）が小さくなっている。
【００２５】
一方、図７に示すように、第２のコネクタ４５においても、前述した第１の給電端子２１と同様の構造で接触片４６が取付けられている。
すなわち、第２のコネクタ４５の前面４５ａには位置決め凹部４５ａが設けられており、この位置決め凹部４５ａには雄端子である接触片４６が取付けられている。図８に示すように、接触片４５は前述した第１の給電用端子２１の接触片２２と全く同じ（同径状、同寸法）部品であり、全体Ｕ字状をしていて、長辺４６ａ、底辺４６ｂ、短辺４６ｃを有している。
【００２６】
第２のコネクタ４５の内面４５ｃにおける接触片４６の取付部４７には、接触片４６の長辺４６ａの先端部を位置決め凹部４５ａの内部に露出させるための貫通部４７ａと、長辺４６ａと短辺４６ｃとの協働により取付部４７を挟んで接触片４６を取付けるための開口部４７ｂが設けられている。なお、第２のコネクタ４５における接触片４６の取付部４７には、前述した第１の給電端子２１の取付部２３に設けられていた、貫通部２３ａに連続して接触片２２の底辺２２ｂを嵌合させる嵌合凹部２３ｂに相当するものが設けられていない。このため、接触片４６の長辺４６ａの露出長さは、嵌合凹部２３ｂの深さだけ、第１の給電端子２１の場合よりも短くなる。換言すれば、第２のコネクタ４５における沈み深さＬ２（図７（Ｂ）参照）が大きくなっている。
【００２７】
すなわち、第１の給電端子２１における沈み深さＬ１が、第２のコネクタ４５における沈み深さＬ２よりも小さくなるので、第１の給電用端子２１と第１のコネクタ３２との嵌合強度を、第２の給電用端子２４と第２のコネクタ４５との嵌合強度よりも大きくすることができる。また、接触片２２、４６を共有することにより、部品の種類を減少させてコストダウンを図ることができる。
なお、詳細な説明を省略するが、第１のコネクタ３２および第２の給電用端子２４には、全く同じ雌側の接触片を同じ構造で取付けてある。
【００２８】
次に、図１および図１０を参照して、不具合が生じたときの面状発光部２０の取り外し工程について説明する。
【００２９】
まず、図１０（Ａ）に示す状態で、スイッチ４８（図７参照）をオフとして、ネジ４９ａ、４９ｂ（図１参照）を取り外す。
【００３０】
次いで、図１０（Ｂ）に示すように、支持板４０を挿入方向手前側（矢印Ｂ）へ引き出して、第２の給電用端子２４から第２のコネクタ４５を取り外す。このとき、前述したように、第１の給電用端子２１と第１のコネクタ３２との嵌合力が、第２の給電用端子２４と第２のコネクタ４５との嵌合力よりも大きいため、支持板３０を引き出すことにより、容易に第２の給電用端子２４から第２のコネクタ４５を取り外すことができる。但し、第１のコネクタ３２と点灯回路４２とを接続するリード線４１に過大な引張力が作用しないように注意する。
【００３１】
第２の給電用端子２４から第２のコネクタ４５を取り外したら、図１０（Ｃ）に示すように、支持板４０を下方（矢印Ｃ）へ水平移動する。このときもリード線４１に過大な引張力が作用しないように注意する。
【００３２】
そして、図１０（Ｄ）に示すように、面状発光部２０を挿入方向手前側（矢印Ｄ）へ引き出して、第１の給電用端子２１を第１のコネクタ３２からを取り外す。
【００３３】
なお、面状発光型照明器具１０の組み立ては、上述した取り外し工程の逆を行うことにより、行うことができる。
【００３４】
以上、説明した第１実施形態にかかる面状発光型照明器具１０によれば、このとき、第１の給電用端子２１と第１のコネクタ３２との嵌合強度が、第２の給電用端子２４と第２のコネクタ４５との嵌合強度よりも大きいので、支持板４０を取り外す際に、まず第２の給電用端子２４が第２のコネクタ４５から離脱し、第１の給電用端子２１は第１のコネクタ３２に接続した状態となる。このため、第１のコネクタ３２と点灯回路４２とを接続しているリード線４１を破損するのを防止することができる。また、透光板３０の着脱により、第２の給電用端子２４と第２コネクタ４５との着脱も行われるため、工程を減らして作業性が向上する。
【００３５】
次に、本発明の第２実施形態にかかる照明器具について、図面を用いて説明する。
図１１は本発明の第２実施形態を示す断面図である。なお、前述した第１実施形態にかかる面状発光型照明器具１０と共通する部位には同じ符号を付して、重複する説明を省略することとする。
【００３６】
図１１に示すように、第２実施形態にかかる面状発光型照明器具１０Ｂでは、全体コ字状をした第１の外郭部３４と、第１の外郭部３４の開口を覆う蓋状の第２の外郭部３５とから外郭部である器具本体１１Ｂを構成している。第１の外郭部３４は、光を透過する発光面である透光板３４ａをすくなくとも一面（ここでは上面）に有しており、下面は非発光面の支持板３４ｂを有している。また、第２の外郭部３５は、非発光面でよい。
【００３７】
従って、第１のコネクタ３２は第１の外郭部３４の側面３４ｃの内側に取付けられており、第２のコネクタ４５は第２の外郭部３５の内面に取り付けられている。
【００３８】
以上、説明した第２実施形態にかかる面状発光型照明器具１０Ｂによれば、第１の給電用端子２１と第１のコネクタ３２との嵌合強度が、第２の給電用端子２４と第２のコネクタ４５との嵌合強度よりも大きいので、第２の外郭部３５を取り外す際に、まず第２の給電用端子２４が第２のコネクタ４５から離脱し、第１の給電用端子２１は第１のコネクタ３２に接続した状態となる。このため、第１のコネクタ３２と点灯回路４２とを接続しているリード線４１を破損するのを防止することができる。また、面状発光部２０を引き抜くことにより、第２の給電用端子２４と第２コネクタ４５との着脱も行われるため、工程を減らして作業性が向上する。
【００３９】
なお、本発明の面状発光型照明器具は、前述した各実施形態に限定されるものでなく、適宜な変形，改良等が可能である。
例えば、前述した各実施形態においては、面状発光部２０として一枚の面状発光部２０を有する場合について例示したが、複数枚の面状発光部２０を接続して用いることも可能である。
【００４０】
また、前述した各実施形態においては、第１の給電用端子２１と第１のコネクタ３２との嵌合強度が、第２の給電用端子２４と第２のコネクタ４５との嵌合強度よりも大きくなるようにするために、第１の給電用端子２１における沈み深さＬ１が、第２のコネクタ４５における沈み深さＬ２よりも小さくなるようにした。これに代わり、第１のコネクタ３２における沈み深さが第２の給電用端子２４における沈み深さよりも小さくなるようにしてもよい。
【図面の簡単な説明】
【００４１】
【図１】本発明の第１の実施の形態にかかる照明器具の分解斜視図
【図２】照明器具の断面図
【図３】（Ａ）は面状発光部を上方から見た斜視図、（Ｂ）は（Ａ）中Ｂ方向から見た位置決め突部の斜視図
【図４】（Ａ）は平面発光パネルの挿入方向前部を示す斜視図、（Ｂ）は（Ａ）中Ｂ−Ｂ位置の断面図
【図５】挿入方向前部の枠体の内側および接触片を示す分解斜視図
【図６】挿入方向前部の枠体の内側を示す斜視図
【図７】（Ａ）は第２のコネクタの斜視図、（Ｂ）は（Ａ）中Ｂ−Ｂ位置の断面図
【図８】第２のコネクタの内側および接触片を示す分解斜視図
【図９】第２のコネクタの内側を示す斜視図
【図１０】（Ａ）〜（Ｅ）は面状発光型照明器具の分解手順を示す工程図
【図１１】本発明の第２の実施の形態にかかる照明器具の断面図
【図１２】従来の面状発光型照明器具の一例を示す斜視図
【図１３】従来の面状発光型照明器具の別の例を示す分解斜視図
【符号の説明】
【００４２】
１０  面状発光型照明器具
１１  器具本体（外郭部）
１１ａ  収容空間
２０  面状発光部（面状発光型モジュール）
２１  第１の給電用端子
２２  第１の給電用端子の接触片
２４  第２の給電用端子
２７ａ、２７ｂ  対向する２辺
３０  透光板（第１の外郭部）
３２  第１のコネクタ
４０  支持板（第２の外郭部）
４１、４４  リード線
４２  点灯回路（回路部）
４５  第２のコネクタ
４６  第２のコネクタの接触片
Ｌ１，Ｌ２  沈み深さ
【図１】
0005005597.tif 000002
【図２】
0005005597.tif 000003
【図３】
0005005597.tif 000004
【図４】
0005005597.tif 000005
【図５】
0005005597.tif 000006
【図６】
0005005597.tif 000007
【図７】
0005005597.tif 000008
【図８】
0005005597.tif 000009
【図９】
0005005597.tif 000010
【図１０】
0005005597.tif 000011
【図１１】
0005005597.tif 000012
【図１２】
0005005597.tif 000013
【図１３】
0005005597.tif 000014